(57)【特許請求の範囲】
【請求項１】
表示部を備える画像表示装置であって、
前記画像表示装置の周辺の壁色情報を取得する取得手段と、
映像信号を入力する入力手段と、
前記入力手段により入力された映像信号に基づく映像フレームの画素のうち、輝度Ｙが閾値以上の画素の輝度色差値であるＹＵＶ値のうちＵＶ値の平均値を色差情報として取得する色差取得手段と、
前記入力された映像信号を前記取得手段によって取得された壁色情報と前記色差取得手段によって取得された色差情報とを用いて補正する補正手段であって、前記補正後の映像信号に基づいて前記表示部で表示される映像から知覚される色が、前記補正をしない映像信号に基づいて前記表示部で表示される映像から知覚される色よりも、前記画像表示装置の周辺の壁色が無彩色の場合に前記補正をしない映像信号に基づいて表示される映像から知覚される色に近くなると共に、前記色差取得手段が第１の色差情報よりも赤色の成分が強い第２の色差情報を取得した場合、前記色差取得手段が前記第１の色差情報を取得した場合よりも、前記表示部で表示される映像から赤色が知覚されやすくなるように、前記壁色情報と前記色差情報とを用いて前記映像信号を補正する補正手段と、
前記補正手段により補正された映像信号を前記表示部へ出力する出力手段と
を備えることを特徴とする画像表示装置。
【請求項２】
前記取得手段は、前記壁色情報のほかに、前記画像表示装置の周辺の照明の色に関する照明情報を取得し、
前記補正手段は、前記補正後の映像信号に基づいて前記表示部で表示される映像から知覚される色が、前記補正をしない映像信号に基づいて前記表示部で表示される映像から知覚される色よりも、前記画像表示装置の周辺の壁色が無彩色で、且つ、前記画像表示装置の周辺の照明が無彩色の場合に前記補正をしない映像信号に基づいて表示される映像から知覚される色に近くなるように前記壁色情報と前記色差情報と前記照明情報に基づいて前記映像信号を補正することを特徴とする請求項１に記載の画像表示装置。
【請求項３】
前記取得手段は、前記表示部の背面に設置されたセンサから前記壁色情報を取得することを特徴とする請求項１又は２に記載の画像表示装置。
【請求項４】
ユーザが壁色を選択するための操作キーを有するリモコンからの信号を入力する信号入力手段を備え、前記取得手段は、前記信号入力手段により入力された信号を前記壁色情報として取得することを特徴とする請求項１又は２に記載の画像表示装置。
【請求項５】
前記取得手段は、前記表示部に表示された複数の色からユーザにより指定された色に対応する情報を前記壁色情報として取得することを特徴とする請求項１又は２に記載の画像表示装置。
【請求項６】
表示部を備える画像表示装置が行う画像表示方法であって、
前記画像表示装置の周辺の壁色情報を取得する取得工程と、
映像信号を入力する入力工程と、
前記入力工程により入力された映像信号に基づく映像フレームの画素のうち、輝度Ｙが閾値以上の画素の輝度色差値であるＹＵＶ値のうちＵＶ値の平均値を色差情報として取得する色差取得工程と、
前記入力された映像信号を前記取得工程によって取得された壁色情報と前記色差取得工程によって取得された前記色差情報とを用いて補正する補正工程であって、前記補正後の映像信号に基づいて前記表示部で表示される映像から知覚される色が、前記補正をしない映像信号に基づいて前記表示部で表示される映像から知覚される色よりも、前記周辺の壁色が無彩色の場合に前記補正をしない映像信号に基づいて表示される映像から知覚される色に近くなると共に、前記色差取得工程が第１の色差情報よりも赤色の成分が強い第２の色差情報を取得した場合、前記第１の色差情報を前記色差取得工程が取得した場合よりも、前記表示部で表示される映像から赤色が知覚されやすくなるように、前記壁色情報と前記色差情報とを用いて前記映像信号を補正する補正工程と、
前記補正工程により補正された映像信号を前記表示部へ出力する出力工程と
を備えることを特徴とする画像表示方法。
【請求項７】
前記取得工程は、前記壁色情報のほかに、前記画像表示装置の周辺の照明の色に関する照明情報を取得し、
前記補正工程は、前記補正後の映像信号に基づいて前記表示部で表示される映像から知覚される色が、前記補正をしない映像信号に基づいて前記表示部で表示される映像から知覚される色よりも、前記画像表示装置の周辺の壁色が無彩色で、且つ、前記画像表示装置の周辺の照明が無彩色の場合に前記補正をしない映像信号に基づいて表示される映像から知覚される色に近くなるように、前記壁色情報と前記色差情報と前記照明情報に基づいて前記映像信号を補正することを特徴とする請求項６に記載の画像表示方法。
【請求項８】
前記取得工程は、前記表示部の背面に設置されたセンサから前記壁色情報を取得することを特徴とする請求項６又は７に記載の画像表示方法。
【請求項９】
ユーザが壁色を選択するための操作キーを有するリモコンからの信号を入力する信号入力工程を備え、
前記取得工程は、前記信号入力工程により入力された信号を前記壁色情報として取得することを特徴とする請求項６又は７に記載の画像表示方法。
【請求項１０】
前記取得工程は、前記表示部に表示された複数の色からユーザにより指定された色に対応する情報を前記壁色情報として取得することを特徴とする請求項６又は７に記載の画像表示方法。
【発明の詳細な説明】
【技術分野】
【０００１】
本発明は、視聴者の視聴環境に応じて視認性が改善されるよう入力信号を補正し、補正信号を画面に表示することのできる画像表示装置に関する。
【背景技術】
【０００２】
従来、ディスプレイやテレビジョン装置等の表示装置の周辺視野の明るさに応じて入力信号を補正し、補正信号を画面に表示する画像表示装置がある。例えば、特許文献１では、表示装置周辺の照度を検出し、照度対補正係数の関係を示すテーブルを使用して、照度に対する補正係数に基づき入力信号のＲＧＢ値を補正する方法が提案されている。また、特許文献２では、スクリーンの色や周辺環境光の影響を考慮した画像表示装置として、投影画像の色情報を検出し、投影画像が所望の色の見えとなるように補正する方法が提案されている。
【先行技術文献】
【特許文献】
【０００３】
【特許文献１】特開２００７−２４８９３６号公報
【特許文献２】特開２００３−３２３６１０号公報
【発明の概要】
【発明が解決しようとする課題】
【０００４】
しかしながら、特許文献１に記載の補正方法は、表示装置の周辺視野の色情報までは考慮できないため、壁色など周囲の色によっては、必ずしも好適に表示されない場合があった。例えば、表示装置の出力信号が同一であっても壁色など周囲の色が異なれば、周囲の色との対比効果により、色の見えが異なることが知られている。対比効果には明度対比、彩度対比、色相対比などが知られている。色相対比とは隣り合う色によって同じ色の色相が変化して見える現象である。人は背景色に順応した状態で中央色を見ると、心理的に背景色の補色が加わり、それが中央色と混色することで色相が変化して見える。そのため、壁色など周囲の色が異なる場合に、必ずしも好適に表示されない問題があった。
【０００５】
一方、特許文献２に記載の補正方法においては、投影画像に直接影響するスクリーンの色や周辺環境光は考慮しているものの、特許文献１と同様、投影画像の周辺視野の色による対比効果までは考慮されていなかった。そのため、投影画像周辺の色が異なる場合に、必ずしも好適に表示されない問題があった。
【０００６】
本発明は、上記問題を鑑みてなされたものであり、表示装置の周辺視野の色による対比効果を抑制し、好適な画像表示を提供することを目的とする。
【課題を解決するための手段】
【０００７】
上記課題を解決するために本発明の画像表示装置は、表示部を備える画像表示装置であって、前記画像表示装置の周辺の壁色情報を取得する取得手段と、映像信号を入力する入力手段と、前記入力手段により入力された映像信号に基づく映像フレームの画素のうち、輝度Ｙが閾値以上の画素の輝度色差値であるＹＵＶ値のうちＵＶ値の平均値を色差情報として取得する色差取得手段と、前記入力された映像信号を前記取得手段によって取得された壁色情報と前記色差取得手段によって取得された色差情報とを用いて補正する補正手段であって、前記補正後の映像信号に基づいて前記表示部で表示される映像から知覚される色が、前記補正をしない映像信号に基づいて前記表示部で表示される映像から知覚される色よりも、前記画像表示装置の周辺の壁色が無彩色の場合に前記補正をしない映像信号に基づいて表示される映像から知覚される色に近くなると共に、前記色差取得手段が第１の色差情報よりも赤色の成分が強い第２の色差情報を取得した場合、前記色差取得手段が前記第１の色差情報を取得した場合よりも、前記表示部で表示される映像から赤色が知覚されやすくなるように、前記壁色情報と前記色差情報とを用いて前記映像信号を補正する補正手段と、前記補正手段により補正された映像信号を前記表示部へ出力する出力手段と
を備えることを特徴とする。
【発明の効果】
【０００８】
本発明は、表示装置の周辺視野の色に応じて表示装置のカラーバランスを制御することにより、周辺視野の色による対比効果を抑制し、好適な画像表示を提供することができる。
【図面の簡単な説明】
【０００９】
【図１】本願発明の実施形態に係る動画像処理装置のシステム構成例を示すブロック図。
【図２】実施形態１における画像表示装置のブロック図。
【図３】センサにより壁色情報を取得する方法を説明する図。
【図４】ユーザの指示により壁色情報を取得する方法を説明する図。
【図５】白色基準算出部の構成を示すブロック図である。
【図６】順応点の算出方法を説明するフローチャート。
【図７】無彩色な壁に対する順応点の算出方法を説明するフローチャート。
【図８】無彩色な壁に対する順応点の算出方法を説明する図。
【図９】周辺視野の色に対する順応点の算出方法を説明するフローチャート。
【図１０】周辺視野の色に対する順応点の算出方法を説明する図。
【図１１】実施形態２における画像表示装置の詳細を示すブロック図。
【図１２】実施形態２における周辺視野の色に対する順応点の算出方法を説明するフローチャート。
【発明を実施するための形態】
【００１０】
以下、添付の図面を参照して、本願発明をその好適な実施形態に基づいて詳細に説明する。なお、以下の実施形態において示す構成は一例に過ぎず、本発明は図示された構成に限定されるものではない。
【００１１】
＜実施形態１＞
図１は本実施形態の画像処理装置の構成を示すブロック図である。アナログ放送入力端子１０１は、地上アナログ放送、衛星アナログ放送などのアナログ放送信号を入力するための端子である。アナログ外部入力端子１０２は、Ｄ端子などのアナログ映像信号を入力するための端子である。デジタル放送入力端子１０３は、地上デジタル放送、衛星デジタル放送などのデジタル放送信号を入力するための端子である。デジタル外部入力端子１０４は、ＨＤＭＩなどのデジタル映像信号を入力するための端子である。アナログチューナ１０５は、アナログ放送信号を映像信号に変換するための装置である。デジタルチューナ１０６は、デジタル放送信号を映像信号に変換するための装置である。Ａ／Ｄコンバータ１０７は、アナログ映像信号をデジタル映像信号に変換するための装置である。デコーダ１０８は、ＭＰＥＧなどの符号化された映像信号を復号化するための装置である。セレクタ１０９は、Ａ／Ｄ変換された映像信号か、デコードされた映像信号かを選択し、出力する装置である。高画質変換補正処理部１１０は、映像信号に対して、与えられたパラメータを基に高画質化、補正を行う装置であり、例えばノイズリダクションやＩ／Ｐ変換、色補正などが行われる。ＣＰＵ１１１は、上述した全ての処理に関わる。ＲＯＭ１１２とＲＡＭ１１３は、その処理に必要なプログラム、データ、作業領域などをＣＰＵ１１１に提供する。操作部１１４は、ディスプレイ本体でユーザからの指示を入力する装置であり、ボタンやタッチパネルなどが該当する。環境光入力端子１１７は、太陽光や蛍光灯などの環境光を入力するための端子である。環境光センサ１１５は、入力された環境光を何らかの値に変換するための装置である。リモコン１１８は、ユーザがディスプレイを操作するためのリモコン装置のことである。リモコン受光センサ１１６は、リモコンからの信号を受信するための装置である。表示部１１９は、高画質化、補正などが行われた映像信号を表示するための装置である。
【００１２】
上記構成における動画像処理動作について、図２を用いて説明する。
【００１３】
周辺色情報取得部２０１は環境光センサ１１５によって実現され、補正処理部２０２、白色基準算出部２０３、パラメータレジスタ２０４は高画質変換補正処理部１１０によって実現され、順応算出部２０５はＣＰＵ１１１によって実現される。
【００１４】
次に、本実施形態の画像表示装置の全体の処理フローを説明する。
【００１５】
はじめに、周辺色情報取得部２０１は、照明情報と壁色情報を取得し、ＲＡＭ１１３に保存する。ここで、照明情報は環境光センサ１１５により取得された情報であり、照明照度ならびに色度情報ｕ’、ｖ’で構成される。色度情報ｕ’、ｖ’は国際照明委員会（ＣＩＥ）で規定されたＸＹＺ刺激値から算出されるｕ’ｖ’平面の値である。本実施形態では、色度情報をｕ’ｖ’平面の値としたが、ｘｙ平面の値、またはｕｖ平面の値、あるいはＸＹＺ刺激値そのものであってもよい。また、壁色情報は画像表示装置周辺の色情報であり、輝度ならびに色度情報ｕ’、ｖ’で構成される。壁色情報の取得方法については後述する。
【００１６】
次に、白色基準算出部２０３は、入力された映像信号から白色基準を算出し、ＲＡＭ１１３に保存する。白色基準は、通常、画像表示装置が表示可能な最も明度が高い色を採用する。例えば、ｓＲＧＢ規格に準拠した画像表示装置の場合、白色基準はＤ６５の色度点となる。
また、表示画像中の最も明度が高い色を白色基準として採用する場合もある。ここで、本発明の白色基準は映像信号から算出した輝度ならびに色度情報ｕ’、ｖ’で構成される。本実施形態では、色度情報をｕ’ｖ’平面の値としたが、ｘｙ平面の値、またはｕｖ平面の値、あるいはＸＹＺ刺激値そのものであってもよい。白色基準の算出方法については後述する。
【００１７】
そして、順応算出部２０５は、ＲＡＭ１１３に保存された照明情報と白色基準に基づいて無彩色な壁に対する順応点、ならびに周辺視野の色に対する順応点を算出し、順応点をパラメータレジスタ２０４に保存する。人間の目は通常、最も明度が高い色を白として知覚する（順応）が、最も明度が高い色が有彩色の場合は、完全には順応しない現象（不完全順応）が発生する。また、観察環境の周囲光の影響により、白と知覚する色が変わる現象（部分順応）が発生する。そのため、人間の目が無彩色な白であると感じる白色を順応点と定義する。順応点の算出方法については後述する。
【００１８】
最後に、補正処理部２０２は、パラメータレジスタ２０４に保存された無彩色な壁に対する順応点と周辺視野の色に対する順応点に基づいて、映像信号を変換する。映像信号の変換方法については後述する。
【００１９】
＜壁色情報の取得方法＞
図３は壁色情報の取得方法を説明する図である。３０１は照明情報を取得するためのセンサであり、３０２は壁色情報を取得するためのセンサである。壁色情報を取得するためのセンサは、表示装置の背面に設置されている。なお、センサは壁色情報を取得可能な位置であれば、表示装置の上面や側面、斜めに加工された面などに設置しても構わない。
【００２０】
また、壁色情報は環境光センサ以外の構成で取得しても構わない。例えば、操作部１１４を用いてユーザからの指示により決定してもよい。図４はユーザの指示により壁色情報を取得する方法を説明する図である。リモコン４０１には操作キー４０２が備えられており、パネル１１９に表示される色情報をコントロールすることができる。なお、操作キー４０２は図示された十字式のみでなく、ボタン式やタッチホイール式など、任意の方法で構わない。また、表示部１１９には、色相調整バー４０３、彩度調整バー４０４、明るさ調整バー４０５が表示されており、表示領域４０６に調整バーの値に基づいた色が表示される。ユーザは操作キー４０２により、表示領域４０６の色が表示装置周辺の色と近くなるように調整バーを調整する。これにより、ユーザの指示により調整された色情報を壁色情報として取得する。なお、ユーザからの指示により壁色情報を取得する方法はこれに限定されるものではない。例えば、表示部１１９に複数の色を表示し、表示装置周辺の色と最も近い色をユーザに選択してもらう方法でも構わない。
【００２１】
＜白色基準の算出方法＞
図５は白色基準算出部２０３の構成を示すブロック図である。
【００２２】
白色基準算出部２０３は、輝度色差算出部５０１、比較部５０２、保持回路５０３、色差平均算出部５０４より構成されている。
【００２３】
輝度色差算出部５０１では、映像信号の画像１フレームから各画素の色情報を取得し、輝度色差信号値に変換する。ここでは、色情報はＲＧＢであるとするが、Ｌａｂ値など任意の色空間に基づく値であっても構わない。その場合は、国際電気通信連合（ＩＴＵ）や国際照明委員会（ＣＩＥ）で規定された変換式に基づいてＲＧＢ値に変換可能である。また、ＲＧＢ値から輝度色差信号（ＹＵＶ値）への変換は、ＩＴＵ−Ｒ  Ｂ．６０１規格に基づいて変換できる。
【００２４】
比較部５０２では、各画素の輝度色差信号値と基準値とを比較し、ハイライトポイントがあるか否かを判定する。ハイライトポイントとは、ある基準値以上の輝度を持つ画素のことである。ここでは、基準値は最大輝度を１００としたときに９９となる値であるとするが、それ以外の値であっても構わない。基準値はＲＯＭ１１２、またはＲＡＭ１１３に予め保持されているものとする。
【００２５】
保持回路５０３では、ハイライトポイントの色差情報を保持する。なお、色差情報はＹＵＶ値におけるＵＶの値である。また、白色基準算出部２０３は映像信号の画像１フレームのすべての画素を走査した際にＶリセット信号を生成し、保持回路５０３はＶリセット信号を受けると保持しているデータをクリアする。
【００２６】
色差平均算出部５０４では、保持回路５０３に保持されたすべてのハイライトポイントの色差情報から平均値を算出し、ハイライトポイントの平均値を白色基準としてＲＡＭ１１２に保存する。なお、映像信号中にハイライトポイントが含まれていない場合は、予め定められた値を用いるものとする。
【００２７】
また、白色基準の算出方法はこれに限定されるものではない。最も簡易的な方法としては、表示装置の色温度情報など、予め定められた値を用いてもよい。
【００２８】
＜順応点の算出方法＞
図６は順応算出部２０５において順応点の算出方法を説明するフローチャートである。
【００２９】
ステップＳ６０１において、順応算出部２０５はＲＡＭ１１３に保存された照明情報ならびに壁色情報を取得する。
【００３０】
ステップＳ６０２において、順応算出部２０５はＲＡＭ１１３に保存された白色基準を取得する。
【００３１】
ステップＳ６０３において、順応算出部２０５は取得した照明情報と白色基準に基づいて、無彩色な壁に対する順応点を算出する。無彩色な壁に対する順応点の算出方法については後述する。
【００３２】
ステップＳ６０４において、順応算出部２０５は取得した壁色情報と白色基準に基づいて、周辺視野の色に対する順応点を算出する。周辺視野の色に対する順応点の算出方法については後述する。
【００３３】
ステップＳ６０５において、順応算出部２０５は算出した無彩色な壁に対する順応点と周辺視野の色に対する順応点をパラメータレジスタ２０４に保存する。
【００３４】
＜無彩色な壁に対する順応点の算出方法＞
図７は無彩色な壁に対する順応点の算出方法を説明するフローチャートである。また、図８は順応点の算出方法を説明する図であり、以下、これを引用しながら説明する。
【００３５】
ステップＳ７０１において、順応算出部２０５はステップＳ６０１より取得した照明情報と、ステップＳ６０２より算出した白色基準を取得する。図８はｕ’ｖ’平面図であり、８０１は照明情報の色度点、８０２は白色基準の色度点である。
【００３６】
ステップＳ７０２において、順応算出部２０５は照明情報の色度点から黒体放射軌跡上に垂線を下ろした交点を算出する。図８において、８０３は黒体放射軌跡、８０４は交点である。なお、黒体放射軌跡とは、反射光をすべて吸収する理想的な黒体が放射する光エネルギーの軌跡である。
【００３７】
ステップＳ７０３において、順応算出部２０５は照明情報の照度と白色基準の輝度から順応比率を算出する。照明情報の照度をＬｓ［ｌｘ］、白色基準の輝度をＹｓ［ｃｄ／ｍ２］とすると、順応比率Ｒｗは以下式（１）で表すことができる。
【００３８】
Ｒｗ＝Ｙｓ／（Ｙｓ＋Ｌｓ／π）    ・・・（１）
ステップＳ７０４において、順応算出部２０５は交点と白色基準の色度点から順応比率に基づいて順応点を算出する。図８において、８０５は算出された順応点である。なお、順応点８０５は、順応比率Ｒｗに基づいて、交点８０４と白色基準８０２を内分する点である。
【００３９】
なお、無彩色な壁に対する順応点の算出方法はこれに限定されるものではない。最も簡易的な方法としては、照明情報の色度点と白色基準の色度点の中点を順応点として算出してもよい。
【００４０】
＜周辺視野の色に対する順応点の算出方法＞
図９は周辺視野の色に対する順応点の算出方法を説明するフローチャートである。また、図１０は順応点の算出方法を説明する図であり、以下、これを引用しながら説明する。
【００４１】
ステップＳ９０１において、順応算出部２０５はステップＳ６０１より取得した照明情報と壁色情報、ステップＳ６０２より算出した白色基準を取得する。図１０はｕ’ｖ’平面図であり、１００１は照明情報の色度点、１００２は壁色情報の色度点、１００３は白色基準の色度点である。
【００４２】
ステップＳ９０２において、順応算出部２０５は壁色情報の色度点から黒体放射軌跡上に垂線を下ろした交点を算出する。図１０において、１００４は黒体放射軌跡、１００５は交点である。
【００４３】
ステップＳ９０３において、順応算出部２０５は照明情報の照度と壁色情報の輝度から基準比率を算出する。照明情報の照度をＬｓ［ｌｘ］、壁色基準の輝度Ｙａ［ｃｄ／ｍ２］とすると、基準比率Ｒａは以下式（２）で表すことができる。
【００４４】
Ｒａ＝Ｙａ／（Ｙａ＋Ｌｓ／π）      ・・・（２）
ステップＳ９０４において、順応算出部２０５は交点と壁色情報の色度点から基準比率に基づいて順応基準点を算出する。図１０において、１００６は順応基準点である。なお、順応基準点１００６は、基準比率Ｒａに基づいて、交点１００４と壁色情報１００２を内分する点である。
【００４５】
ステップＳ９０５において、順応算出部２０５は照明情報の照度と白色基準の輝度から順応比率を算出する。照明情報の照度をＬｓ［ｌｘ］、白色基準の輝度をＹｓ［ｃｄ／ｍ２］とすると、順応比率Ｒｗは以下式（３）で表すことができる。
【００４６】
Ｒｗ＝Ｙｓ／（Ｙｓ＋Ｌｓ／π）      ・・・（３）
ステップＳ９０６において、順応算出部２０５は順応基準点と白色基準の色度点から順応比率に基づいて順応点を算出する。図１０において、１００７は算出された順応点である。なお、順応点１００７は、順応比率Ｒｗに基づいて、順応基準点１００６と白色基準１００３を内分する点である。
【００４７】
なお、周辺視野の色に対する順応点の算出方法はこれに限定されるものではない。最も簡易的な方法としては、壁色情報の色度点に対する順応点の補正量の関係を示すテーブルを予め保持し、壁色情報に基づいて順応点を決定してもよい。
【００４８】
＜映像信号の変換方法＞
補正処理部２０２では、以下の処理が実行される。
【００４９】
まず、映像信号の画像１フレームから各画素の色情報を取得し、色情報をＸＹＺ刺激値に変換する。ＲＧＢ値の色情報からＸＹＺ刺激値への変換は、ＩＴＵ−Ｒ  Ｂ．７０９規格に基づいて変換できる。
【００５０】
次に、パラメータレジスタ２０４に保持された無彩色な壁に対する順応点に基づいてＸＹＺ値を知覚色空間の値に変換する。知覚色空間の値への変換は、国際照明委員会（ＣＩＥ）が勧告しているＣＩＥＣＡＭ９７ｓやＣＩＥＣＡＭ０２などの変換式を用いて算出することができる。ここでは、ＣＩＥＣＡＭ０２に基づいて、ＸＹＺ値を知覚色空間の値（ＪＣＨ値）に変換する。ＣＩＥＣＡＭ０２では、順応視野の輝度Ｌａ、背景の相対輝度Ｙｂ、順応白色の３刺激値Ｘｗ、Ｙｗ、Ｚｗがパラメータとして設定されている。さらに、これらの影響を決定するパラメータとして、周辺の影響係数ｃ、色の誘導係数Ｎｃ、明度コントラスト係数Ｆｌ、順応度合い係数Ｆが設定されている。これらのパラメータは、照明情報の照度をＬｓ［ｌｘ］、白色基準の輝度をＹｓ［ｃｄ／ｍ２］、無彩色な壁に対する順応点の色度点をｕｍ’、ｖｍ’とすると、例えば以下式（４）で表すことができる。
【００５１】
Ｌａ＝Ｌｓ／π
Ｙｂ＝２０
Ｘｗ＝９／４×Ｙｓ×ｕｍ’／ｖｍ’
Ｙｗ＝Ｙｓ
Ｚｗ＝Ｙｓ／４／ｖｍ’×（３−３／４×ｕｍ’−５×ｖｍ’）    （４）
なお、順応白色の３刺激値Ｘｗ、Ｙｗ、Ｚｗは、ＣＩＥ１９７６ＵＣＳ色度座標の変換式を用いて、色度点がｕｍ’、ｖｍ’となるように算出した値である。
【００５２】
また、ＣＩＥＣＡＭ０２のパラメータ値はこれに限定されるものではなく、被験者実験等により予め決定したパラメータを保持し、順応点に応じて設定してもよい。
【００５３】
次に、パラメータレジスタ２０４に保持された周辺視野の色に対する順応点に基づいて知覚色空間の値をＸＹＺ刺激値に変換する。照明情報の照度をＬｓ［ｌｘ］、白色基準の輝度をＹｓ［ｃｄ／ｍ２］、周辺視野の色に対する順応点の色度点をｕｎ’、ｖｎ’とすると、例えば以下式（５）で表すことができる。
【００５４】
Ｌａ＝Ｌｓ／π
Ｙｂ＝２０
Ｘｗ＝９／４×Ｙｓ×ｕｎ’／ｖｎ’
Ｙｗ＝Ｙｓ
Ｚｗ＝Ｙｓ／４／ｖｎ’×（３−３／４×ｕｎ’−５×ｖｎ’）    （５）
なお、順応白色の３刺激値Ｘｗ、Ｙｗ、Ｚｗは、ＣＩＥ１９７６ＵＣＳ色度座標の変換式を用いて、色度点がｕｎ’、ｖｎ’となるように算出した値である。
【００５５】
最後に、ＸＹＺ刺激値をＲＧＢ値に変換する。なお、ＸＹＺ刺激値からＲＧＢ値への変換は、ＩＴＵ−Ｒ  Ｂ．７０９規格に基づいて変換できる。
【００５６】
以上説明した処理を行うことにより、周辺視野の色に応じた補正処理が可能となり、周辺視野の色による対比効果を抑制し、好適な表示を提供することができる。
【００５７】
＜実施形態２＞
実施形態１では、周辺視野の色に基づいて順応点を算出する方法について説明した。しかしながら、周辺視野の色が視覚に及ぼす影響度は、視聴者の距離や画面サイズから求められる画角によって異なる場合がある。本実施形態においては、周辺視野の色と画角に基づいて順応点を算出する方法について説明する。
【００５８】
図１１は本実施例の画像処理装置の構成を示すブロック図である。なお、実施形態１と同一の部位に関しては説明を省略する。
【００５９】
画角情報取得手段１１０１は、視聴者の距離と画面サイズに基づいて画角情報を算出する。視聴者の距離は、例えば、リモコン１１８から照射される光が反射して戻ってくる時間を測定することにより求めることができる。また、操作部１１４を用いてユーザからの指示により決定してもよい。画面サイズは予め定められた値を用いるが、投影機など画面サイズが可変な表示装置の場合は、表示装置に搭載された測距計から算出できる。視聴者の距離をｄ［ｍ］、画面サイズをＨ［ｉｎｃｈ］とすると、画角θ［ｄｅｇ］は以下式（６）で表すことができる。
【００６０】
ｔａｎ（θ／２）＝Ｈ／２／ｄ    （６）
次に、周辺視野の色と画角に基づいて順応算出部１１０５が順応点を算出する方法について説明する。
【００６１】
図１２は周辺視野の色に対する順応点の算出方法を説明するフローチャートである。
【００６２】
ステップＳ１２０１において、順応算出部１１０５は照明情報、壁色情報、白色基準、画角情報を取得する。
【００６３】
ステップＳ１２０２において、順応算出部１１０５は実施形態１と同様に、壁色情報の色度点から黒体放射軌跡上に垂線を下ろした交点を算出する。
【００６４】
ステップＳ１２０３において、順応算出部１１０５は照明情報の照度と壁色情報の輝度、および画角情報から基準比率を算出する。照明情報の照度をＬｓ［ｌｘ］、壁色基準の輝度Ｙａ［ｃｄ／ｍ２］、画角をθ［ｄｅｇ］とすると、基準比率Ｒａは以下式（７）で表すことができる。
【００６５】
Ｒａ＝Ｙａ×θ×Ｗｇ／（Ｙａ×θ×Ｗｇ＋Ｌｓ／π）    ・・・（７）
ここで、Ｗｇは画角に対する重み係数である。重み係数Ｗｇは、例えば、視聴者の距離が３Ｈとなる画角θａを基準として、以下式（８）で定めてもよい。
【００６６】
Ｗｇ＝１／θａ    ・・・（８）
なお、基準比率Ｒａの算出方法はこれに限定されるものではなく、被験者実験等により予め決定したパラメータを保持し、照明情報と壁色情報と画角に応じて設定してもよい。
ステップＳ１２０４において、順応算出部１１０５は実施形態１と同様に、交点と壁色情報の色度点から基準比率に基づいて順応基準点を算出する。
【００６７】
ステップＳ１２０５において、順応算出部１１０５は実施形態１と同様に、照明情報の照度と白色基準の輝度から順応比率を算出する。
【００６８】
ステップＳ１２０６において、順応算出部１１０５は実施形態１と同様に、順応基準点と白色基準の色度点から順応比率に基づいて順応点を算出する。
【００６９】
以上説明した処理を行うことにより、周辺視野の色と画角に応じた補正処理が可能となり、周辺視野の色による対比効果の影響度を考慮して、好適な表示を提供することができる。
【００７０】
＜その他の実施形態＞
なお、本発明は、複数の機器（例えばホストコンピュータ、インターフェース機器、リーダ、プリンタなど）から構成されるシステムに適用しても、一つの機器からなる装置（例えば、複写機、ファクシミリ装置など）に適用してもよい。
【００７１】
また、本発明の目的は、前述した機能を実現するコンピュータプログラムのコードを記録した記憶媒体を、システムに供給し、そのシステムがコンピュータプログラムのコードを読み出し実行することによっても達成される。この場合、記憶媒体から読み出されたコンピュータプログラムのコード自体が前述した実施形態の機能を実現し、そのコンピュータプログラムのコードを記憶した記憶媒体は本発明を構成する。また、そのプログラムのコードの指示に基づき、コンピュータ上で稼働しているオペレーティングシステム（ＯＳ）などが実際の処理の一部または全部を行い、その処理によって前述した機能が実現される場合も含まれる。
【００７２】
さらに、以下の形態で実現しても構わない。すなわち、記憶媒体から読み出されたコンピュータプログラムコードを、コンピュータに挿入された機能拡張カードやコンピュータに接続された機能拡張ユニットに備わるメモリに書込む。そして、そのコンピュータプログラムのコードの指示に基づき、その機能拡張カードや機能拡張ユニットに備わるＣＰＵなどが実際の処理の一部または全部を行って、前述した機能が実現される場合も含まれる。
【００７３】
本発明を上記記憶媒体に適用する場合、その記憶媒体には、先に説明したフローチャートに対応するコンピュータプログラムのコードが格納されることになる。
【図１】
0005517594.tif 000002
【図２】
0005517594.tif 000003
【図３】
0005517594.tif 000004
【図４】
0005517594.tif 000005
【図５】
0005517594.tif 000006
【図６】
0005517594.tif 000007
【図７】
0005517594.tif 000008
【図８】
0005517594.tif 000009
【図９】
0005517594.tif 000010
【図１０】
0005517594.tif 000011
【図１１】
0005517594.tif 000012
【図１２】
0005517594.tif 000013